(57)【要約】【課題】複数の通信装置間で無線通信を行って、一方の通信装置において他方の通信装置からのログイン要求に基づくログインを行う場合に、ユーザーの利便性を向上させる仕組みを提供する。【解決手段】他の通信装置２００と無線通信可能に構成された通信装置１００−１において、他の通信装置２００と無線通信を行うためのアンテナ１２１及び１２２と、アンテナ１２１から第１の範囲に第１のデータを含む信号を送信し、アンテナ１２２から第１の範囲よりも小さい第２の範囲に第２のデータを含む信号を送信する処理を行うＣＰＵ１０１を備える。この際、例えば、第１のデータは、アンテナ１２１から送出された信号であることを示すデータであり、第２のデータは、アンテナ１２２から送出された信号であることを示すデータである。【選択図】図１
2018078369.tif 000002
【特許請求の範囲】
【請求項１】
他の通信装置と無線通信可能に構成された通信装置であって、
前記他の通信装置と無線通信を行うための第１のアンテナと、
前記第１のアンテナと同じ無線通信規格に対応し、前記他の通信装置と無線通信を行うための第２のアンテナと、
前記第１のアンテナを介して、前記第１のアンテナから送信されていることを示す情報を含む第１の信号を送信し、前記第２のアンテナを介して、前記第２のアンテナから送信されていることを示す情報を含む第２の信号を送信する送信手段と
を有し、
前記第１のアンテナは第１の範囲に信号を送信し、前記第２のアンテナは前記第１の範囲よりも小さい第２の範囲に信号を送信することを特徴とする通信装置。
【請求項２】
前記送信手段は、前記第１のアンテナを介した信号の送信と、前記第２のアンテナを介した信号の送信とを、相互に独立して行うことを特徴とする請求項１に記載の通信装置。
【請求項３】
前記送信手段は、前記第１のアンテナを介した信号の送信と、前記第２のアンテナを介した信号の送信とを切り替えて行うことを特徴とする請求項１に記載の通信装置。
【請求項４】
前記他の通信装置から、ユーザー認証情報を含むログイン要求信号を受信する受信手段と、
前記ユーザー認証情報を用いてユーザー認証を行う認証手段と
を更に有することを特徴とする請求項１乃至３のいずれか１項に記載の通信装置。
【請求項５】
前記第１のアンテナと前記第２のアンテナは、Ｂｌｕｅｔｏｏｔｈ  Ｌｏｗ  Ｅｎｅｒｇｙに基づく信号を送信することを特徴とする請求項１乃至４のいずれか１項に記載の通信装置。
【請求項６】
前記通信装置は、印刷装置であることを特徴とする請求項１乃至５のいずれか１項に記載の通信装置。
【請求項７】
他の通信装置と通信可能に接続された通信装置であって、
前記他の通信装置のアンテナから第１の範囲に送出された第１のデータを含む信号、及び、当該アンテナから前記第１の範囲よりも小さい第２の範囲に送出された第２のデータを含む信号のうち、少なくともいずれか一方の信号を受信する受信手段と、
前記受信手段で信号を受信した場合に、前記他の通信装置に対してユーザー認証情報を含むログイン要求信号を送信する送信手段と
を有することを特徴とする通信装置。
【請求項８】
前記アンテナは、
前記第１の範囲に信号を伝搬させるための第１のアンテナと、
前記第１のアンテナと同じ無線通信規格に対応したアンテナであって前記第２の範囲に信号を伝搬させるための第２のアンテナと
を含むものであり、
前記第１のデータは、前記第１のアンテナから送出された信号であることを示すデータであり、
前記第２のデータは、前記第２のアンテナから送出された信号であることを示すデータである
ことを特徴とする請求項７に記載の通信装置。
【請求項９】
前記受信手段は、Ｂｌｕｅｔｏｏｔｈ  Ｌｏｗ  Ｅｎｅｒｇｙに基づく信号を受信することを特徴とする請求項７又は８に記載の通信装置。
【請求項１０】
請求項１乃至６のいずれか１項に記載の通信装置と、
請求項７乃至９のいずれか１項に記載の通信装置と
を有することを特徴とする通信システム。
【請求項１１】
他の通信装置と無線通信を行うための第１のアンテナと、前記第１のアンテナと同じ無線通信規格に対応し、前記他の通信装置と無線通信を行うための第２のアンテナとを備える通信装置の制御方法であって、
前記第１のアンテナを介して、前記第１のアンテナから送信されていることを示す情報を含む第１の信号を送信する第１の送信ステップと、
前記第２のアンテナを介して、前記第２のアンテナから送信されていることを示す情報を含む第２の信号を送信する第２の送信ステップと
を有し、
前記第１のアンテナは第１の範囲に信号を送信し、前記第２のアンテナは前記第１の範囲よりも小さい第２の範囲に信号を送信することを特徴とする通信装置の制御方法。
【請求項１２】
他の通信装置と通信可能に接続された通信装置の制御方法であって、
前記他の通信装置のアンテナから第１の範囲に送出された第１のデータを含む信号、及び、当該アンテナから前記第１の範囲よりも小さい第２の範囲に送出された第２のデータを含む信号のうち、少なくともいずれか一方の信号を受信する受信ステップと、
前記受信ステップで信号を受信した場合に、前記他の通信装置に対してユーザー認証情報を含むログイン要求信号を送信する送信ステップと
を有することを特徴とする通信装置の制御方法。
【発明の詳細な説明】
【技術分野】
【０００１】
本発明は、他の通信装置と無線通信可能に構成された通信装置及びその制御方法、並びに、当該通信装置と他の通信装置とを有する通信システムに関するものである。
【背景技術】
【０００２】
近年、複数の通信装置間の連携機能として、例えば、携帯端末装置のビジネス用途での使用の拡大に応じて当該携帯端末装置と情報処理装置との連携機能の拡充が求められている。この連携機能の１つとして、例えば、無線通信を用いて、携帯端末装置で情報処理装置の一種である複合機へログイン（個人認証（ユーザー認証））する機能が挙げられる。また、従来、情報処理装置において、ユーザー認証時に複数の携帯端末装置を検出した場合に、当該携帯端末装置をリスト表示し、その中から目的の携帯端末装置を選択してユーザー認証を行う技術が提案されている（例えば、特許文献１）。
【先行技術文献】
【特許文献】
【０００３】
【特許文献１】特開２００３−１６２７５８号公報
【発明の概要】
【発明が解決しようとする課題】
【０００４】
例えば、Ｂｌｕｅｔｏｏｔｈ（登録商標）等の無線通信によって、携帯端末装置から、当該携帯端末装置から離れた場所にある情報処理装置に各種のデータを転送する場合がある。この環境下で、情報処理装置にログインする場合、携帯端末装置が検出した情報処理装置のリストから目的の情報処理装置をユーザーが選択することになる。しかしながら、この場合、携帯端末装置から離れた場所にある情報処理装置にログインすることを想定したものであるため、所定の範囲に存在する複数の情報処理装置のうちのどの情報処理装置にログインしたのかが判り難く、別の情報処理装置へ誤ってログインしてしまうなどの問題があった。
【０００５】
即ち、従来においては、複数の通信装置間で無線通信を行って、一方の通信装置において他方の通信装置からのログイン要求に基づくログインを行う場合に、ユーザーの利便性が良くないという問題があった。
【０００６】
本発明は、このような問題点に鑑みてなされたものであり、複数の通信装置間で無線通信を行って、一方の通信装置において他方の通信装置からのログイン要求に基づくログインを行う場合に、ユーザーの利便性を向上させる仕組みを提供することを目的とする。
【課題を解決するための手段】
【０００７】
本発明の通信装置は、他の通信装置と無線通信可能に構成された通信装置であって、前記他の通信装置と無線通信を行うための第１のアンテナと、前記第１のアンテナと同じ無線通信規格に対応し、前記他の通信装置と無線通信を行うための第２のアンテナと、前記第１のアンテナを介して、前記第１のアンテナから送信されていることを示す情報を含む第１の信号を送信し、前記第２のアンテナを介して、前記第２のアンテナから送信されていることを示す情報を含む第２の信号を送信する送信手段とを有し、前記第１のアンテナは第１の範囲に信号を送信し、前記第２のアンテナは前記第１の範囲よりも小さい第２の範囲に信号を送信する。
また、本発明の通信装置は、他の通信装置と通信可能に接続された通信装置であって、前記他の通信装置のアンテナから第１の範囲に送出された第１のデータを含む信号、及び、当該アンテナから前記第１の範囲よりも小さい第２の範囲に送出された第２のデータを含む信号のうち、少なくともいずれか一方の信号を受信する受信手段と、前記受信手段で信号を受信した場合に、前記他の通信装置に対してユーザー認証情報を含むログイン要求信号を送信する送信手段とを有する。
また、本発明は、上述した通信装置の制御方法、及び、上述した通信装置と上述した他の通信装置とを有する通信システムを含む。
【発明の効果】
【０００８】
本発明によれば、複数の通信装置間で無線通信を行って、一方の通信装置において他方の通信装置からのログイン要求に基づくログインを行う場合に、ユーザーの利便性を向上させることができる。
【図面の簡単な説明】
【０００９】
【図１】本発明の第１の実施形態に係る通信システムの概略構成の一例を示す図である。
【図２】本発明の第１の実施形態に係る第１の通信装置である複合機の外観の一例を示す図である。
【図３】本発明の第１の実施形態に係る第２の通信装置である携帯端末装置の概略構成の一例を示す図である。
【図４】図１に示す近接アンテナから信号を伝搬させる伝搬範囲（第２の範囲）の一例を示す図である。
【図５】図１に示す通常アンテナから信号を伝搬させる伝搬範囲（第１の範囲）の一例を示す図である。
【図６】図１に示す近接アンテナを介してＢｌｕｅｔｏｏｔｈ通信を行う場合に、図１に示す複合機のＢｌｕｅｔｏｏｔｈモジュールと携帯端末装置との位置関係の一例を示す図である。
【図７】図１に示す通常アンテナを介してＢｌｕｅｔｏｏｔｈ通信を行う場合に、図１に示す複合機のＢｌｕｅｔｏｏｔｈモジュールと携帯端末装置との位置関係の一例を示す図である。
【図８】本発明の第１の実施形態に係る第１の通信装置である複合機の制御方法における処理手順の一例を示すフローチャートである。
【図９】本発明の第１の実施形態に係る第２の通信装置である携帯端末装置の制御方法における処理手順の一例を示すフローチャートである。
【図１０】本発明の第１の実施形態に係る第２の通信装置である携帯端末装置の操作パネルに表示される画面の一例を示す図である。
【図１１】本発明の第１の実施形態に係る第１の通信装置である複合機の制御方法における処理手順の一例を示すフローチャートである。
【図１２】本発明の第２の実施形態に係る通信システムの概略構成の一例を示す図である。
【図１３】本発明の第２の実施形態に係る第１の通信装置である複合機の制御方法における処理手順の一例を示すフローチャートである。
【図１４】本発明の第３の実施形態に係る通信システムの概略構成の一例を示す図である。
【図１５】本発明の第３の実施形態に係る第１の通信装置である複合機の制御方法における処理手順の一例を示すフローチャートである。
【発明を実施するための形態】
【００１０】
以下に、図面を参照しながら、本発明を実施するための形態（実施形態）について説明する。
【００１１】
（第１の実施形態）
まず、本発明の第１の実施形態について説明する。
【００１２】
図１は、本発明の第１の実施形態に係る通信システム１０−１の概略構成の一例を示す図である。この通信システム１０−１は、図１に示すように、複合機１００−１と携帯端末装置２００とを有して構成されており、また、複合機１００−１と携帯端末装置２００とが無線通信可能に構成されている。
【００１３】
複合機１００−１は、当該複合機１００−１にとって他の通信装置である携帯端末装置２００と無線通信可能に構成された通信装置（第１の通信装置）である。この複合機１００−１は、図１に示すように、コントローラ１１０−１、Ｂｌｕｅｔｏｏｔｈ（登録商標）モジュール１２０−１、Ｗｉｆｉ（登録商標）モジュール１３０、操作パネル１４０、リーダ１５０、プリンタ１６０、及び、ネットワークインタフェース１７０を有して構成されている。
【００１４】
コントローラ１１０−１は、複合機１００−１の各構成部を制御することにより、複合機１００−１の動作を統括的に制御する。このコントローラ１１０−１は、図１に示すように、ＣＰＵ１０１、ＲＡＭ１０２、ＲＯＭ１０３、各種のインタフェース１０４〜１０９，１１１、及び、内部バス１１２を有して構成されている。
【００１５】
ここで、コントローラ１１０−１の内部の構成部について説明する。
ＣＰＵ１０１は、内部バス１１２に接続された各構成部を制御することによってコントローラ１１０−１の動作を統括的に制御するとともに、各種の処理を行う。ＲＡＭ１０２は、ＲＯＭ１０３やＣＰＵ１０１から供給されるプログラムやデータ等を一時記憶する、ワークメモリとして機能する。ＲＯＭ１０３は、各種のプログラムや各種の情報等を格納しているメモリである。なお、本実施形態においては、ＣＰＵ１０１が本実施形態に係る処理を実行するためのプログラムは、このＲＯＭ１０３に記憶されているものとする。各種のインタフェース１０４〜１０９，１１１は、それぞれ、コントローラ１１０−１の外部のデバイスへＣＰＵ１０１がアクセスするためのインタフェースである。内部バス１１２は、ＣＰＵ１０１、ＲＡＭ１０２、ＲＯＭ１０３、各種のインタフェース１０４〜１０９，１１１を通信可能に接続する。
【００１６】
Ｂｌｕｅｔｏｏｔｈモジュール１２０−１は近距離用の無線通信規格であるＢｌｕｅｔｏｏｔｈ通信によって携帯端末装置２００と無線通信を行うモジュールである。このＢｌｕｅｔｏｏｔｈモジュール１２０−１は、図１に示すように、通常アンテナ１２１、近接アンテナ１２２、ＢｌｕｅｔｏｏｔｈのＰＨＹ（物理層）１２３及び１２４を有して構成されている。ここで、通常アンテナ１２１は、伝搬範囲として第１の範囲に信号を伝搬させるための第１のアンテナである。また、近接アンテナ１２２は、通常アンテナ１２１と同じ無線通信規格であるＢｌｕｅｔｏｏｔｈ通信に対応したアンテナであって、伝搬範囲として上述した第１の範囲よりも小さい第２の範囲に信号を伝搬させるための第２のアンテナである。
【００１７】
具体的に、本実施形態においては、ＣＰＵ１０１は、通常アンテナ１２１に接続されたＰＨＹ１２３、及び、インタフェース１０５を介して、携帯端末装置２００とＢｌｕｅｔｏｏｔｈ通信３０１を行う。また、本実施形態においては、ＣＰＵ１０１は、近接アンテナ１２２に接続されたＰＨＹ１２４、及び、インタフェース１０６を介して、携帯端末装置２００とＢｌｕｅｔｏｏｔｈ通信３０２を行う。また、Ｂｌｕｅｔｏｏｔｈモジュール１２０−１は、Ｂｌｕｅｔｏｏｔｈ  Ｌｏｗ  Ｅｎｅｒｇｙ（以下、「ＢＬＥ」と記載する）による通信も可能に構成されている。
【００１８】
Ｗｉｆｉモジュール１３０は、無線ＬＡＮの無線通信規格であるＷｉｆｉ通信３０３によって携帯端末装置２００と無線通信を行うモジュールである。
このＷｉｆｉモジュール１３０は、図１に示すように、アンテナ１３１、ＷｉｆｉのＰＨＹ１３２を有して構成されている。具体的に、本実施形態においては、ＣＰＵ１０１は、アンテナ１３１に接続されたＰＨＹ１３２、及び、インタフェース１０４を介して、携帯端末装置２００とＷｉｆｉ通信３０３を行う。
【００１９】
操作パネル１４０は、ユーザーが複合機１００−１に対して操作入力を行う際に操作されるものである。例えば、ＣＰＵ１０１は、複合機１００−１の電源が投入されると、インタフェース１０７を介して操作パネル１４０へ表示データを送信する。そして、ＣＰＵ１０１は、ユーザーによって操作パネル１４０に操作入力がされると、インタフェース１０７を介してその入力情報を受信する。そして、ＣＰＵ１０１は、受信した入力情報に応じて、各種の制御や各種の処理を行う。
【００２０】
リーダ１５０は、原稿を読み取るための装置である。ＣＰＵ１０１は、リーダ１５０とインタフェース１０８を介して通信し、リーダ１５０が原稿台に搭載された原稿を読み取ることにより取得した画像データを受信する。
【００２１】
プリンタ１６０は、印刷するための装置である。ＣＰＵ１０１は、プリンタ１６０とインタフェース１０９を介して通信し、プリンタ１６０に印刷データを送信することにより印刷物を生成させる。
【００２２】
ネットワークインタフェース１７０は、ネットワーク３０４に接続するためのインタフェースである。ＣＰＵ１０１は、ネットワークインタフェース１７０とインタフェース１１１を介して通信し、ネットワーク３０４を経由して外部装置等との間で画像データや認証情報等の送受信を行う。
【００２３】
携帯端末装置２００は、当該携帯端末装置２００にとって他の通信装置である複合機１００−１と無線通信可能に構成された通信装置（第２の通信装置）である。この携帯端末装置２００は、複合機１００−１のＢｌｕｅｔｏｏｔｈモジュール１２０−１との間でＢｌｕｅｔｏｏｔｈ通信３０１及び３０２を行い、また、複合機１００−１のＷｉｆｉモジュール１３０との間でＷｉｆｉ通信３０３を行う。
【００２４】
図２は、本発明の第１の実施形態に係る第１の通信装置である複合機１００−１の外観の一例を示す図である。この図２には、図１に示す複合機１００−１の各構成部のうち、Ｂｌｕｅｔｏｏｔｈモジュール１２０、操作パネル１４０、リーダ１５０及びプリンタ１６０の位置が示されている。
【００２５】
図３は、本発明の第１の実施形態に係る第２の通信装置である携帯端末装置２００の概略構成の一例を示す図である。
【００２６】
携帯端末装置２００は、図３に示すように、制御部２１０、無線ＬＡＮ通信部２２０、記憶部２３０、Ｂｌｕｅｔｏｏｔｈ通信部２４０、及び、操作パネル２５０を有して構成されている。
【００２７】
制御部２１０は、携帯端末装置２００の各構成部を制御することにより、携帯端末装置２００の動作を統括的に制御する。この制御部２１０は、図３に示すように、ＣＰＵ２１１、メモリ２１２、及び、タイマー２１３を有して構成されている。
【００２８】
ここで、制御部２１０の内部の構成部について説明する。
ＣＰＵ２１１は、携帯端末装置２００の各構成部を制御することによって携帯端末装置２００の動作を統括的に制御するとともに、各種の処理を行う。メモリ２１２は、各種のプログラムや各種の情報等を予め格納しているとともに、ＣＰＵ２１１がプログラムを実行することによって生成される各種の情報等を記憶する。なお、本実施形態においては、ＣＰＵ２１１が本実施形態に係る処理を実行するためのプログラムは、このメモリ２１２に記憶されているものとする。タイマー２１３は、ＣＰＵ２１１がプログラムを実行する際に時間計測を行うための構成部である。
【００２９】
無線ＬＡＮ通信部２２０は、無線ＬＡＮ規格に基づいて外部装置との無線通信処理を行い、外部装置と制御部２１０との間で行われるデータ入出力処理を行う。例えば、無線ＬＡＮ通信部２２０は、図１に示す複合機１００−１のＷｉｆｉモジュール１３０との間で無線ＬＡＮの無線通信規格であるＷｉｆｉ通信３０３を行う。
【００３０】
記憶部２３０は、例えば、ＣＰＵ２１１が各種の処理を行う際に必要な各種の情報を予め格納しているとともに、ＣＰＵ２１１がプログラムを実行することによって生成される各種の情報等を記憶する。
【００３１】
Ｂｌｕｅｔｏｏｔｈ通信部２４０は、Ｂｌｕｅｔｏｏｔｈ規格に基づいて外部装置との通信処理を行い、外部装置と制御部２１０との間で行われるデータ入出力処理を行う。例えば、Ｂｌｕｅｔｏｏｔｈ通信部２４０は、図１に示す複合機１００−１のＢｌｕｅｔｏｏｔｈモジュール１２０−１との間でＢｌｕｅｔｏｏｔｈ通信３０１及び３０２を行う。
【００３２】
操作パネル２５０は、ユーザーが携帯端末装置２００に対して操作入力を行う際に操作されるものである。この操作パネル２５０は、図３に示すように、表示部２５１、及び、操作入力部２５２を有して構成されている。具体的に、表示部２５１は、例えば液晶パネルにより構成され、ＣＰＵ２１１の制御に基づいて各種の情報を表示する構成部である。また、操作入力部２５２は、例えば、ユーザーが表示部２５１に表示された各種の情報等を見ながら携帯端末装置２００に対して操作入力を行う際に操作され、ユーザーにより操作入力がなされると、その入力情報がＣＰＵ２１１に送信される。
【００３３】
また、図３には図示していないが、携帯端末装置２００は、その他の構成として、バッテリや電源制御部等の携帯端末装置として必要な電源供給の構成を備えている。
【００３４】
図４は、図１に示す近接アンテナ１２２から信号を伝搬させる伝搬範囲４００（第２の範囲）の一例を示す図である。具体的に、図４（ａ）は、近接アンテナ１２２の表面を横から見た図であり、図４（ｂ）は、近接アンテナ１２２を斜め上から俯瞰して見た図である。
【００３５】
ここで、本実施形態の近接アンテナ１２２は、以下の特徴を有して構成されている。
・アンテナは、シート状となっている。
・シート表面近傍にのみ電波が分布している。
例えば、上述した特徴を持つアンテナとして、例えば、帝人株式会社のセルフォーム（登録商標）と呼ばれる２次元通信シートを用いたアンテナが挙げられる。このシートに電磁波を流すと、「エバネッセント波」と呼ばれる広域へ伝播しない電磁波がシート近傍に現れる。この電磁波を用いることにより、シート表面近傍（約１０ｃｍ未満の距離）のみの無線通信が可能となる。
【００３６】
図５は、図１に示す通常アンテナ１２１から信号を伝搬させる伝搬範囲５００（第１の範囲）の一例を示す図である。具体的に、図５は、通常アンテナ１２１の表面を横から見た図である。
【００３７】
この図５に示す通常アンテナ１２１の伝搬範囲５００（第１の範囲）は、図４に示す近接アンテナ１２２の伝搬範囲４００（第２の範囲）よりも十分に大きく、例えば通常アンテナ１２１から半径数ｍの範囲となっている。
【００３８】
図６は、図１に示す近接アンテナ１２２を介してＢｌｕｅｔｏｏｔｈ通信３０２を行う場合に、図１に示す複合機１００−１のＢｌｕｅｔｏｏｔｈモジュール１２０−１と携帯端末装置２００との位置関係の一例を示す図である。なお、この図６には、図４に示す伝搬範囲４００（第２の範囲）と図５に示す伝搬範囲５００（第１の範囲）も図示している。
【００３９】
この図６に示す例の場合、携帯端末装置２００は、近接アンテナ１２２を介したＢｌｕｅｔｏｏｔｈ通信３０２が可能な伝搬範囲４００（第２の範囲）まで複合機１００−１のＢｌｕｅｔｏｏｔｈモジュール１２０−１に近づくことで無線通信が可能となる。
【００４０】
図７は、図１に示す通常アンテナ１２１を介してＢｌｕｅｔｏｏｔｈ通信３０１を行う場合に、図１に示す複合機１００−１のＢｌｕｅｔｏｏｔｈモジュール１２０−１と携帯端末装置２００との位置関係の一例を示す図である。なお、この図５には、図４に示す伝搬範囲４００（第２の範囲）と図５に示す伝搬範囲５００（第１の範囲）も図示している。
【００４１】
この図７に示す例の場合、携帯端末装置２００は、通常アンテナ１２１を介したＢｌｕｅｔｏｏｔｈ通信３０１が可能な伝搬範囲５００（第１の範囲）まで複合機１００−１のＢｌｕｅｔｏｏｔｈモジュール１２０−１に近づくことで無線通信が可能となる。
【００４２】
次に、本実施形態に係る複合機１００−１の制御方法について説明する。
図８は、本発明の第１の実施形態に係る第１の通信装置である複合機１００−１の制御方法における処理手順の一例を示すフローチャートである。ここで、図８（ａ）は通常アンテナ１２１側の処理を示し、図８（ｂ）は近接アンテナ１２２側の処理を示している。
【００４３】
図８（ａ）のステップＳ８０１において、複合機１００−１のＣＰＵ１０１は、インタフェース１０５を介してＰＨＹ１２３に第１のデータを含む信号を送り、通常アンテナ１２１から伝搬範囲４００（第２の範囲）よりも大きい伝搬範囲５００（第１の範囲）に第１のデータを含む信号を送信する。この際、本実施形態においては、第１のデータは、通常アンテナ１２１から送出された信号であることを示すデータである。また、本実施形態においては、ＣＰＵ１０１は、通常アンテナ１２１から、ＢＬＥの「ａｄｖｅｒｔｉｓｉｎｇ  ｐａｃｋｅｔ」に係る信号を送信する。このステップＳ８０１（第１の送信ステップ）の処理を行うＣＰＵ１０１は、送信手段を構成する。
【００４４】
本実施形態においては、この図８（ａ）の処理と同時に、図８（ｂ）のステップＳ８１１において、ＣＰＵ１０１は、インタフェース１０６を介してＰＨＹ１２４に第２のデータを含む信号を送り、近接アンテナ１２２から伝搬範囲５００（第１の範囲）よりも小さい伝搬範囲４００（第２の範囲）に第２のデータを含む信号を送信する。この際、本実施形態においては、第２のデータは、近接アンテナ１２２から送出された信号であることを示すデータである。また、本実施形態においては、ＣＰＵ１０１は、近接アンテナ１２２から、ＢＬＥの「ａｄｖｅｒｔｉｓｉｎｇ  ｐａｃｋｅｔ」に係る信号を送信する。このステップＳ８１１（第２の送信ステップ）の処理を行うＣＰＵ１０１は、送信手段を構成する。
【００４５】
このように、本実施形態に係る複合機１００−１では、ＣＰＵ１０１は、図８（ａ）に示す通常アンテナ１２１を介した信号の送信と、図８（ｂ）に示す近接アンテナ１２２を介した信号の送信とを、相互に独立して行う。そして、本実施形態に係る複合機１００−１では、ＣＰＵ１０１は、図８（ａ）に示す通常アンテナ１２１を介した信号の送信と、図８（ｂ）に示す近接アンテナ１２２を介した信号の送信とを繰り返し行う。
【００４６】
次に、携帯端末装置２００から複合機１００−１に対してＢｌｕｅｔｏｏｔｈ通信によりログイン認証を行う場合の携帯端末装置２００の制御方法について説明する。
図９は、本発明の第１の実施形態に係る第２の通信装置である携帯端末装置２００の制御方法における処理手順の一例を示すフローチャートである。この図９のフローチャートの処理を開始する際には、例えば図３の記憶部２３０に、予め、ログイン認証時に使用するユーザーＩＤ及びパスワードのユーザー認証情報が記憶されているものとする。
【００４７】
まず、ステップＳ９０１において、携帯端末装置２００のＣＰＵ２１１は、操作パネル２５０に表示された「プリンタ検索」画面においてユーザーが何の項目を選択したのかを判断する。ここでは、「プリンタ検索」画面の項目として、携帯端末装置２００を複合機１００−１に近接（例えば接触）させてログイン認証を行う「タッチログイン」と、携帯端末装置２００を複合機１００−１から離した状態でログイン認証等を行う「自動検索」があるものとする。
【００４８】
また、図１０は、本発明の第１の実施形態に係る第２の通信装置である携帯端末装置２００の操作パネル２５０に表示される画面の一例を示す図である。
ここで、図１０（ａ）には、ステップＳ９０１で上述した「プリンタ検索」画面１０１０が示されており、この「プリンタ検索」画面１０１０には、「タッチログイン」の項目１０１１と、「自動検索」の項目１０１２が示されている。
【００４９】
ステップＳ９０１の判断の結果、「タッチログイン」が選択された場合には、ステップＳ９０２に進む。
ステップＳ９０２に進むと、ＣＰＵ２１１は、操作パネル２５０に図１０（ｂ）に示す「タッチログイン」画面１０２０を表示し、ユーザーが携帯端末装置２００を複合機１００−１のＢｌｕｅｔｏｏｔｈモジュール１２０−１に近づける（例えば接触）ことにより、第２のデータを受信したか否かを判断する。この判断の結果、未だ第２のデータを受信していない場合には（Ｓ９０２／Ｎ）、第２のデータを受信するまで、ステップＳ９０２で待機する。
【００５０】
一方、ステップＳ９０２の判断の結果、第２のデータを受信した場合には（Ｓ９０２／Ｙ）、ステップＳ９０３に進む。
ステップＳ９０３に進むと、ＣＰＵ２１１は、当該第２のデータを送信した複合機１００−１に対して、ログイン要求、並びに、ユーザーＩＤ及びパスワードのユーザー認証情報を含むログイン要求信号を送信する。このステップＳ９０３の処理が終了すると、図９のフローチャートの処理が終了する。
【００５１】
また、ステップＳ９０１の判断の結果、「自動検索」が選択された場合には、ステップＳ９０４に進む。
ステップＳ９０４に進むと、ＣＰＵ２１１は、第１のデータを受信したか否かを判断する。この判断の結果、未だ第１のデータを受信していない場合には（Ｓ９０４／Ｎ）、第１のデータを受信するまで、ステップＳ９０４で待機する。
【００５２】
一方、ステップＳ９０４の判断の結果、第１のデータを受信した場合には（Ｓ９０４／Ｙ）、ステップＳ９０５に進む。
ステップＳ９０５に進むと、ＣＰＵ２１１は、当該携帯端末装置２００における複合機１００−１との近接状態が「Ｉｍｍｅｄｉａｔｅ」または「Ｎｅａｒ」であるか否かを判断する。ここで、「Ｉｍｍｅｄｉａｔｅ」は、プリンタ（複合機１００−１）から数十ｃｍ離れた状態を意味し、「Ｎｅａｒ」は数ｍ離れた状態を意味するものとする。
【００５３】
なお、近接状態は、例えば、一定の時間間隔で送信されるビーコンを携帯端末装置２００で受信し、ビーコンの受信電波強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）に基づき、ビーコンの送信源と携帯端末装置２００との相対的な距離を求めることにより算出されるものとする。具体例としては、「−５０ｄｂｍより大きければＩｍｍｅｄｉａｔｅ」と判断し、「−５０ｄｂｍ〜−６５ｄｂｍならばＮｅａｒ」と判断し、「−６５ｄｂｍより小さければＦａｒとする」と判断するという判断方法を採用することができる。
【００５４】
ステップＳ９０５の判断の結果、当該携帯端末装置２００における複合機１００−１との近接状態が「Ｉｍｍｅｄｉａｔｅ」または「Ｎｅａｒ」でない場合には（Ｓ９０５／Ｎ）、ステップＳ９０４に戻り、ステップＳ９０４以降の処理を再度行う。
【００５５】
一方、ステップＳ９０５の判断の結果、当該携帯端末装置２００における複合機１００−１との近接状態が「Ｉｍｍｅｄｉａｔｅ」または「Ｎｅａｒ」である場合には（Ｓ９０５／Ｙ）、ステップＳ９０６に進む。
ステップＳ９０６に進むと、ＣＰＵ２１１は、第１のデータを送信してきた複合機１００−１を、携帯端末装置２００の電波受信リストに追加する。ここで、図１０（ｃ）は、「電波受信リスト」画面１０３０を示し、この「電波受信リスト」画面１０３０には、携帯端末装置２００との近接状態が「Ｉｍｍｅｄｉａｔｅ」または「Ｎｅａｒ」である複合機の識別名１０３１がリスト表示されている。
【００５６】
続いて、ステップＳ９０７において、ＣＰＵ２１１は、ユーザーが電波受信リストからプリンタ（複合機）を選択したか否かを判断する。この判断の結果、ユーザーが電波受信リストからプリンタ（複合機）を選択していない場合には（ＳＳ９０７／Ｎ）、ステップＳ９０４に戻り、ステップＳ９０４以降の処理を再度行う。
【００５７】
一方、ステップＳ９０７の判断の結果、ユーザーが電波受信リストからプリンタ（複合機）を選択した場合には（ＳＳ９０７／Ｙ）、ステップＳ９０８に進む。
ステップＳ９０８に進むと、ＣＰＵ２１１は、ユーザーが操作パネル２５０に表示された「機能選択」画面においてユーザーが何の項目を選択したのかを判断する。ここでは、「機能選択」画面の項目として、「Ｗｉ−Ｆｉハンドオーバー」と、「ログイン」があるものとする。ここで、図１０（ｄ）には、ステップＳ９０８で上述した「機能選択」画面１０４０が示されており、この「機能選択」画面１０４０には、「ログイン」の項目１０４１と、「Ｗｉ−Ｆｉハンドオーバー」の項目１０４２が示されている。
【００５８】
ステップＳ９０８の判断の結果、「Ｗｉ−Ｆｉハンドオーバー」が選択された場合には、ステップＳ９０９に進む。
ステップＳ９０９に進むと、ＣＰＵ２１１は、ユーザーが選択したプリンタ（複合機）とペアリングし、Ｗｉ−Ｆｉハンドオーバーを行う。このステップＳ９０９の処理が終了すると、図９のフローチャートの処理が終了する。
【００５９】
また、ステップＳ９０９の判断の結果、「ログイン」が選択された場合には、ステップＳ９１０に進む。
ステップＳ９１０に進むと、ＣＰＵ２１１は、第１のデータを送信した複合機１００−１に対して、ログイン要求、並びに、ユーザーＩＤ及びパスワードのユーザー認証情報を含むログイン要求信号を送信する。このステップＳ９１０の処理が終了すると、図９のフローチャートの処理が終了する。
【００６０】
図１１は、本発明の第１の実施形態に係る第１の通信装置である複合機１００−１の制御方法における処理手順の一例を示すフローチャートである。ここで、図１１は、複合機１００−１において、携帯端末装置２００から図９のフローチャートの処理に係るログイン要求信号を受信した後の処理手順の一例を示すフローチャートである。
【００６１】
まず、ステップＳ１１０１において、複合機１００−１のＣＰＵ１０１は、ログイン要求、並びに、ユーザーＩＤ及びパスワードのユーザー認証情報を含むログイン要求信号を受信したか否かを判断する。この判断の結果、ログイン要求信号を受信していない場合には（Ｓ１１０１／Ｎ）、ログイン要求信号を受信するまで、ステップＳ１１０１で待機する。
【００６２】
一方、ステップＳ１１０１の判断の結果、ログイン要求信号を受信した場合には（Ｓ１１０１／Ｙ）、ステップＳ１１０２に進む。
ステップＳ１１０２に進むと、ＣＰＵ１０１は、受信したユーザーＩＤ及びパスワードの組に係るユーザー認証情報が当該複合機１００−１に登録されているか否かを判断する。
【００６３】
ステップＳ１１０２の判断の結果、ユーザー認証情報が当該複合機１００−１に登録されていない場合には（Ｓ１１０２／Ｎ）、ステップＳ１１０２で待機する。なお、図１１の示す例では、ユーザー認証情報が当該複合機１００−１に登録されていない場合に（Ｓ１１０２／Ｎ）、ステップＳ１１０２で待機する態様を示しているが、本実施形態においてはこの態様に限定されるものではない。例えば、ユーザー認証情報が当該複合機１００−１に登録されていない場合に（Ｓ１１０２／Ｎ）、ステップＳ１１０１まで戻り、次のユーザー認証情報の受信を待つ態様も、本実施形態に適用可能である。
【００６４】
一方、ステップＳ１１０２の判断の結果、ユーザー認証情報が当該複合機１００−１に登録されている場合には（Ｓ１１０２／Ｙ）、ステップＳ１１０３に進む。
ステップＳ１１０３に進むと、ＣＰＵ１０１は、受信したユーザー認証情報に係るユーザーＩＤをログインさせる。
【００６５】
続いて、ステップＳ１１０４において、ＣＰＵ１０１は、ログインが完了したことを携帯端末装置２００へ通知する。
【００６６】
ステップＳ１１０４の処理が終了すると、図１１のフローチャートの処理が終了する。
なお、図１１のステップＳ１１０２〜１１０４の処理を行うＣＰＵ１０１は、ユーザー認証を行う認証手段を構成する。
【００６７】
第１の実施形態に係る複合機１００−１では、通常アンテナ１２１から第１の範囲に第１のデータを含む信号を送信し、通常アンテナ１２１と同じ無線通信規格に対応した近接アンテナ１２２から第１の範囲よりも小さい第２の範囲に第２のデータを含む信号を送信するようにしている。この際、第１のデータは、通常アンテナ１２１から送出された信号であることを示すデータであり、第２のデータは、近接アンテナ１２２から送出された信号であることを示すデータである。
かかる構成によれば、複合機１００−１において、第１のデータを含む信号及び第２のデータを含む信号のうちの少なくともいずれか一方の信号を受信した携帯端末装置２００からのログイン要求に基づくログインを行うことができる。即ち、携帯端末装置２００が複合機１００−１から離れている場合、及び、携帯端末装置２００が複合機１００−１に近接（例えば接触）している場合のいずれにおいても、携帯端末装置２００からのログイン要求に基づくログインを行うことができる。また、同じ無線通信規格（Ｂｌｕｅｔｏｏｔｈ）に対応した複数のアンテナから無線通信を行うため、無線通信規格が変わることにより生じる各種の不具合も防止することができる。
以上の第１の実施形態によれば、複数の通信装置間で無線通信を行って、一方の通信装置において他方の通信装置からのログイン要求に基づくログインを行う場合に、ユーザーの利便性を向上させることができる。
【００６８】
（第２の実施形態）
次に、本発明の第２の実施形態について説明する。
【００６９】
図１２は、本発明の第２の実施形態に係る通信システム１０−２の概略構成の一例を示す図である。この通信システム１０−２は、図１２に示すように、複合機１００−２と携帯端末装置２００とを有して構成されており、また、複合機１００−２と携帯端末装置２００とが無線通信可能に構成されている。なお、図１２において、図１に示す第１の実施形態に係る通信システム１０−１の概略構成と同様の構成については同じ符号を付しており、その詳細な説明は省略する。
【００７０】
複合機１００−２は、当該複合機１００−２にとって他の通信装置である携帯端末装置２００と無線通信可能に構成された通信装置（第１の通信装置）である。この複合機１００−２は、図１２に示すように、コントローラ１１０−２、Ｂｌｕｅｔｏｏｔｈモジュール１２０−２、Ｗｉｆｉモジュール１３０、操作パネル１４０、リーダ１５０、プリンタ１６０、及び、ネットワークインタフェース１７０を有して構成されている。具体的に、第２の実施形態に係る複合機１００−２は、図１に示す第１の実施形態に係る複合機１００−１に対して、コントローラ１１０−２とＢｌｕｅｔｏｏｔｈモジュール１２０−２の内部構成が異なるものとなっている。
【００７１】
Ｂｌｕｅｔｏｏｔｈモジュール１２０−２は、図１２に示すように、通常アンテナ１２１、近接アンテナ１２２、ＢｌｕｅｔｏｏｔｈのＰＨＹ２１２１、及び、切替スイッチ２１２２を有して構成されている。
【００７２】
切替スイッチ２１２２は、コントローラ１１０−２内のＣＰＵ１０１がインタフェース２１１１を介して送信するスイッチ切替信号２１１２によって制御される。
【００７３】
そして、本実施形態においては、ＣＰＵ１０１は、スイッチ切替信号２１１２により通常アンテナ１２１にＰＨＹ２１２１が接続されると、携帯端末装置２００とＢｌｕｅｔｏｏｔｈ通信３０１を行う。また、本実施形態においては、ＣＰＵ１０１は、スイッチ切替信号２１１２により近接アンテナ１２２にＰＨＹ２１２１が接続されると、携帯端末装置２００とＢｌｕｅｔｏｏｔｈ通信３０２を行う。また、Ｂｌｕｅｔｏｏｔｈモジュール１２０−２は、ＢＬＥによる通信も可能に構成されている。
【００７４】
このように、第２の実施形態に係る複合機１００−２のＣＰＵ１０１は、通常アンテナ（第１のアンテナ）１２１を介した信号の送信と、近接アンテナ（第２のアンテナ）１２２を介した信号の送信とを切り替えて行う。
【００７５】
次に、本実施形態に係る複合機１００−２の制御方法について説明する。
図１３は、本発明の第２の実施形態に係る第１の通信装置である複合機１００−２の制御方法における処理手順の一例を示すフローチャートである。
【００７６】
まず、ステップＳ１３０１において、複合機１００−２のＣＰＵ１０１は、切替スイッチ２１２２に対するスイッチ切替信号２１１２により、ＰＨＹ２１２１を通常アンテナ１２１に接続する。
【００７７】
続いて、ステップＳ１３０２において、ＣＰＵ１０１は、インタフェース１０５を介してＰＨＹ２１２１に第１のデータを含む信号を送り、通常アンテナ１２１から伝搬範囲４００（第２の範囲）よりも大きい伝搬範囲５００（第１の範囲）に第１のデータを含む信号を送信する。この際、本実施形態においては、第１のデータは、通常アンテナ１２１から送出された信号であることを示すデータである。また、本実施形態においては、ＣＰＵ１０１は、通常アンテナ１２１から、ＢＬＥの「ａｄｖｅｒｔｉｓｉｎｇ  ｐａｃｋｅｔ」に係る信号を送信する。
【００７８】
続いて、ステップＳ１３０３において、ＣＰＵ１０１は、ステップＳ１３０２における信号を継続して送信している時間が所定の時間ｔ１を経過したか否かを判断する。この判断の結果、ステップＳ１３０２における信号を継続して送信している時間が所定の時間ｔ１を経過していない場合には（Ｓ１３０３／Ｎ）、所定の時間ｔ１を経過するまで、ステップＳ１３０３で待機する。
【００７９】
一方、ステップＳ１３０３の判断の結果、ステップＳ１３０２における信号を継続して送信している時間が所定の時間ｔ１を経過した場合には（Ｓ１３０３／Ｙ）、ステップＳ１３０４に進む。
ステップＳ１３０４に進むと、ＣＰＵ１０１は、切替スイッチ２１２２に対するスイッチ切替信号２１１２により、通常アンテナ１２１からの信号の送信を止め、ＰＨＹ２１２１の接続先を近接アンテナ１２２に切り替える。
【００８０】
続いて、ステップＳ１３０５において、ＣＰＵ１０１は、インタフェース１０５を介してＰＨＹ２１２１に第２のデータを含む信号を送り、近接アンテナ１２２から伝搬範囲５００（第１の範囲）よりも小さい伝搬範囲４００（第２の範囲）に第２のデータを含む信号を送信する。この際、本実施形態においては、第２のデータは、近接アンテナ１２２から送出された信号であることを示すデータである。また、本実施形態においては、ＣＰＵ１０１は、近接アンテナ１２２から、ＢＬＥの「ａｄｖｅｒｔｉｓｉｎｇ  ｐａｃｋｅｔ」に係る信号を送信する。
【００８１】
続いて、ステップＳ１３０６において、ＣＰＵ１０１は、ステップＳ１３０５における信号を継続して送信している時間が所定の時間ｔ２を経過したか否かを判断する。この判断の結果、ステップＳ１３０５における信号を継続して送信している時間が所定の時間ｔ２を経過していない場合には（Ｓ１３０６／Ｎ）、所定の時間ｔ２を経過するまで、ステップＳ１３０６で待機する。
【００８２】
一方、ステップＳ１３０６の判断の結果、ステップＳ１３０５における信号を継続して送信している時間が所定の時間ｔ２を経過した場合には（Ｓ１３０６／Ｙ）、ステップＳ１３０７に進む。
ステップＳ１３０７に進むと、ＣＰＵ１０１は、切替スイッチ２１２２に対するスイッチ切替信号２１１２により、近接アンテナ１２２からの信号の送信を止め、ＰＨＹ２１２１の接続先を通常アンテナ１２１に切り替える。その後、ステップＳ１３０２に戻り、ステップＳ１３０２以降の処理を行う。
【００８３】
また、第２の実施形態に係る第２の通信装置である携帯端末装置２００の制御方法は、図９に示す第１の実施形態に係る携帯端末装置２００の制御方法におけるフローチャートと同様であるため、その説明は省略する。
【００８４】
また、第２の実施形態に係る複合機１００−２において携帯端末装置２００からログイン要求信号を受信した後の制御方法は、図１１に示す第１の実施形態に係る複合機１００−１の制御方法におけるフローチャートと同様であるため、その説明は省略する。
【００８５】
第２の実施形態においても、上述した第１の実施形態と同様に、複数の通信装置間で無線通信を行って、一方の通信装置において他方の通信装置からのログイン要求に基づくログインを行う場合に、ユーザーの利便性を向上させることができる。
【００８６】
（第３の実施形態）
次に、本発明の第３の実施形態について説明する。
【００８７】
図１４は、本発明の第３の実施形態に係る通信システム１０−３の概略構成の一例を示す図である。この通信システム１０−３は、図１４に示すように、複合機１００−３と携帯端末装置２００とを有して構成されており、また、複合機１００−３と携帯端末装置２００とが無線通信可能に構成されている。なお、図１４において、図１に示す第１の実施形態に係る通信システム１０−１の概略構成と同様の構成については同じ符号を付しており、その詳細な説明は省略する。
【００８８】
複合機１００−３は、当該複合機１００−３にとって他の通信装置である携帯端末装置２００と無線通信可能に構成された通信装置（第１の通信装置）である。この複合機１００−３は、図１４に示すように、コントローラ１１０−３、Ｂｌｕｅｔｏｏｔｈモジュール１２０−３、Ｗｉｆｉモジュール１３０、操作パネル１４０、リーダ１５０、プリンタ１６０、及び、ネットワークインタフェース１７０を有して構成されている。具体的に、第３の実施形態に係る複合機１００−３は、図１に示す第１の実施形態に係る複合機１００−１に対して、コントローラ１１０−３とＢｌｕｅｔｏｏｔｈモジュール１２０−３の内部構成が異なるものとなっている。
【００８９】
Ｂｌｕｅｔｏｏｔｈモジュール１２０−３は、図１４に示すように、通常アンテナ１２１、及び、ＢｌｕｅｔｏｏｔｈのＰＨＹ３１２１を有して構成されている。即ち、第３の実施形態は、上述した第１及び第２の実施形態と異なり、Ｂｌｕｅｔｏｏｔｈモジュール１２０−３の内部には、１つの通常アンテナ１２１のみが構成されている。
【００９０】
本実施形態においては、ＣＰＵ１０１は、１つの通常アンテナ１２１を介して携帯端末装置２００とＢｌｕｅｔｏｏｔｈ通信３０１を行う。この際、Ｂｌｕｅｔｏｏｔｈモジュール１２０−３は、ＢＬＥによる通信も可能に構成されている。
【００９１】
そして、本実施形態においては、ＣＰＵ１０１は、ＰＨＹ３１２１に対して、インタフェース３１１１を介して電力切替信号３１１２を送信することにより、通常アンテナ１２１から送出する信号を切り替える制御を行う。具体的に、ＣＰＵ１０１は、ＰＨＹ３１２１に対する電力切替信号３１１２により、通常アンテナ１２１から、第１の範囲に第１のデータを含む信号の送信と、第１の範囲よりも小さい第２の範囲に第２のデータを含む信号の送信とを切り替えて行う。この際、本実施形態においては、第１のデータは、通常アンテナ１２１から第１の送信電力で送出された信号であることを示すデータである。また、第２のデータは、通常アンテナ１２１から第１の送信電力よりも小さい第２の送信電力で送出された信号であることを示すデータである。
【００９２】
次に、本実施形態に係る複合機１００−３の制御方法について説明する。
図１５は、本発明の第３の実施形態に係る第１の通信装置である複合機１００−３の制御方法における処理手順の一例を示すフローチャートである。
【００９３】
まず、ステップＳ１５０１において、複合機１００−３のＣＰＵ１０１は、インタフェース３１１１を介したＰＨＹ３１２１に対する電力切替信号３１１２の送信により、通常アンテナ１２１から第１の範囲に第１のデータを含む信号を送信できる状態にする。その上で、ＣＰＵ１０１は、インタフェース１０５を介してＰＨＹ３１２１に第１のデータを含む信号を送り、通常アンテナ１２１から伝搬範囲４００（第２の範囲）よりも大きい伝搬範囲５００（第１の範囲）に第１のデータを含む信号を送信する。この際、第１のデータを含む信号は、伝搬範囲が大きくなるような送信電力が大きい信号であり、第１のデータは、通常アンテナ１２１から送信電力が大きい状態で送出されたことを示すデータである。また、本実施形態においては、ＣＰＵ１０１は、通常アンテナ１２１から、ＢＬＥの「ａｄｖｅｒｔｉｓｉｎｇ  ｐａｃｋｅｔ」に係る信号を送信する。
【００９４】
続いて、ステップＳ１５０２において、ＣＰＵ１０１は、ステップＳ１５０１における信号を継続して送信している時間が所定の時間ｔ１を経過したか否かを判断する。この判断の結果、ステップＳ１５０１における信号を継続して送信している時間が所定の時間ｔ１を経過していない場合には（Ｓ１５０２／Ｎ）、所定の時間ｔ１を経過するまで、ステップＳ１５０２で待機する。
【００９５】
一方、ステップＳ１５０２の判断の結果、ステップＳ１５０１における信号を継続して送信している時間が所定の時間ｔ１を経過した場合には（Ｓ１５０２／Ｙ）、ステップＳ１５０３に進む。
ステップＳ１５０３に進むと、ＣＰＵ１０１は、インタフェース３１１１を介したＰＨＹ３１２１に対する電力切替信号３１１２の送信により、第１のデータを含む信号の送信を止め、第２のデータを含む信号を送信できる状態にする。その上で、ＣＰＵ１０１は、インタフェース１０５を介してＰＨＹ３１２１に第２のデータを含む信号を送り、通常アンテナ１２１から伝搬範囲５００（第１の範囲）よりも小さい伝搬範囲４００（第２の範囲）に第２のデータを含む信号を送信する。この際、第２のデータを含む信号は、伝搬範囲が小さくなるような、送信電力が第１のデータを含む信号よりも小さい信号であり、第２のデータは、通常アンテナ１２１から送信電力が小さい状態で送出されたことを示すデータである。また、本実施形態においては、ＣＰＵ１０１は、通常アンテナ１２１から、ＢＬＥの「ａｄｖｅｒｔｉｓｉｎｇ  ｐａｃｋｅｔ」に係る信号を送信する。
【００９６】
続いて、ステップＳ１５０４において、ＣＰＵ１０１は、ステップＳ１５０３における信号を継続して送信している時間が所定の時間ｔ２を経過したか否かを判断する。この判断の結果、ステップＳ１５０３における信号を継続して送信している時間が所定の時間ｔ２を経過していない場合には（Ｓ１５０４／Ｎ）、所定の時間ｔ２を経過するまで、ステップＳ１５０４で待機する。
【００９７】
一方、ステップＳ１５０４の判断の結果、ステップＳ１５０３における信号を継続して送信している時間が所定の時間ｔ２を経過した場合には（Ｓ１５０４／Ｙ）、ステップＳ１５０５に進む。
ステップＳ１５０５に進むと、ＣＰＵ１０１は、インタフェース３１１１を介したＰＨＹ３１２１に対する電力切替信号３１１２の送信により、第２のデータを含む信号の送信を止め、第１のデータを含む信号を送信できる状態にする。その後、ステップＳ１５０１に戻り、ステップＳ１５０１以降の処理を行う。
【００９８】
また、第３の実施形態に係る第２の通信装置である携帯端末装置２００の制御方法は、図９に示す第１の実施形態に係る携帯端末装置２００の制御方法におけるフローチャートと同様であるため、その説明は省略する。
【００９９】
また、第３の実施形態に係る複合機１００−３において携帯端末装置２００からログイン要求信号を受信した後の制御方法は、図１１に示す第１の実施形態に係る複合機１００−１の制御方法におけるフローチャートと同様であるため、その説明は省略する。
【０１００】
第３の実施形態においても、上述した第１の実施形態と同様に、複数の通信装置間で無線通信を行って、一方の通信装置において他方の通信装置からのログイン要求に基づくログインを行う場合に、ユーザーの利便性を向上させることができる。
【０１０１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１０２】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【０１０３】
１０：通信システム、１００：複合機（第１の通信装置）、１１０：コントローラ、１０１：ＣＰＵ、１０２：ＲＡＭ、１０３：ＲＯＭ、１０４〜１０９，１１１：インタフェース、１１２：内部バス、１２０：Ｂｌｕｅｔｏｏｔｈモジュール、１２１：通常アンテナ、１２２：近接アンテナ、１２３，１２４：ＢｌｕｅｔｏｏｔｈのＰＨＹ、１３０：Ｗｉｆｉモジュール、１３１：アンテナ、１３２：ＷｉｆｉのＰＨＹ、１４０：操作パネル、１５０：リーダ、１６０：プリンタ、１７０：ネットワークインタフェース、２００：携帯端末装置（第２の通信装置）、３０１，３０２：Ｂｌｕｅｔｏｏｔｈ通信、３０３：Ｗｉｆｉ通信、３０４：ネットワーク
【図１】
2018078369.tif 000003
【図２】
2018078369.tif 000004
【図３】
2018078369.tif 000005
【図４】
2018078369.tif 000006
【図５】
2018078369.tif 000007
【図６】
2018078369.tif 000008
【図７】
2018078369.tif 000009
【図８】
2018078369.tif 000010
【図９】
2018078369.tif 000011
【図１０】
2018078369.tif 000012
【図１１】
2018078369.tif 000013
【図１２】
2018078369.tif 000014
【図１３】
2018078369.tif 000015
【図１４】
2018078369.tif 000016
【図１５】
2018078369.tif 000017